(57)【要約】      （修正有） 【課題】安価で信頼性があり、高効率の受動型の放熱機能を有するキャビネットおよび電子装置を提供する。【解決手段】キャビネットは、少なくとも１つの開口１５０ａを有するケース１００、およびケース内に配置され、少なくとも１つの開口に隣接し、本体と、本体の上に配置され、且つ少なくとも１つの開口に面する複数のフィンを備えたフィン要素２０２、を含む。また、ケース内にシールアセンブリを更に含み、シールアセンブリ、ケース、およびフィン要素は空間を形成し、シールアセンブリはフレーム１１２と防水パッド１１４、１１６、１１８を含み、防水パッドはフレームとフィン要素の間に配置される。【選択図】図２Ａ
0003223173.tif 000002
【実用新案登録請求の範囲】
【請求項１】
少なくとも１つの開口を有するケース、および
前記ケース内に配置され、前記少なくとも１つの開口に隣接し、本体と、前記本体の上に配置され、且つ前記少なくとも１つの開口に面する複数のフィンを備えたフィン要素、を含むキャビネット。
【請求項２】
前記ケース内に配置されたシールアセンブリを更に含み、前記シールアセンブリ、前記ケース、および前記フィン要素は空間を形成することを特徴とする、請求項１に記載のキャビネット。
【請求項３】
前記シールアセンブリはフレームと防水パッドを含み、前記防水パッドは前記フレームと前記フィン要素の間に配置されることを特徴とする、請求項２に記載のキャビネット。
【請求項４】
前記フィン要素の前記複数のフィンは、
前記本体の一方に配置された複数の第１のフィン、および
前記第１のフィン側とは反対側の前記本体のもう一方に配置された複数の第２のフィンを含むことを特徴とする、請求項１に記載のキャビネット。
【請求項５】
前記第１のフィンの長さは前記第２のフィンの長さよりも長いことを特徴とする、請求項４に記載のキャビネット。
【請求項６】
表面積では、前記第１のフィンの数は前記第２のフィンの数よりも少ないことを特徴とする、請求項４に記載のキャビネット。
【請求項７】
前記第１のフィンは、前記ケースの少なくとも一つの開口に面していることを特徴とする、請求項５に記載のキャビネット。
【請求項８】
前記第１のフィンは、前記ケースの少なくとも一つの開口に面していることを特徴とする、請求項６に記載のキャビネット。
【請求項９】
前記ケースはドア、複数の側板、天板、および底板を含み、前記天板は前記底板の反対側にあり、前記ドアと前記側板は、前記天板と前記底板の間に配置され、前記フィン要素は前記側板の一方に面していることを特徴とする、請求項１に記載のキャビネット。
【請求項１０】
前記底板は、前記フィン要素に対応する第１の孔を含み、前記第１の孔は、前記底板に垂直な方向に沿って前記フィン要素と整列されることを特徴とする、請求項９に記載のキャビネット。
【請求項１１】
前記底板は第２の孔を含み、前記キャビネットはパイプおよび防水要素を更に含み、前記パイプは前記第２の孔を通過し、前記防水要素は前記パイプと前記第２の孔の間に配置され、前記パイプと前記第２の孔の間の間隙を密閉することを特徴とする、請求項９に記載のキャビネット。
【請求項１２】
請求項１に記載のキャビネット、
前記キャビネット内に配置された電力変換器、および
前記キャビネット内に配置され、前記電力変換器の上に配置されたファンを含む請求項１に記載の電子装置。
【考案の詳細な説明】
【技術分野】
【０００１】
本出願は、２０１８年１０月８日に出願された台湾実用新案登録出願番号第１０７２１３５８７号についての優先権を主張するものであり、これらの全ては引用によって本願に援用される。
【０００２】
本考案は、キャビネットおよび電子装置に関するものであり、特に、受動型の放熱機能を有するキャビネットおよび電子装置に関するものである。
【背景技術】
【０００３】
キャビネットは、屋外に設置される通信装置を、日光、熱放射、雨、空気などの環境要因によるダメージから保護し、装置の寿命を延ばして、装置を正常に動作させ続けるために必要とされる。
【０００４】
しかしながら、通信装置の動作中に、一部の電気エネルギーが熱エネルギーに変換され、キャビネットに設置されている通信機器の温度が上昇する可能性がある。放熱の手段が提供されない場合、通信装置の寿命は短くなる。更に、現在の通信装置は、より良い通信機能のために、主に屋外に設置されるため、キャビネット内の温度は夏季の暑い時期、上昇する。高温がキャビネット内の装置の通信機能に影響を与えないようにするために、ファン、熱交換器、エアコン、または熱電エアコンなどの能動型の放熱素子がキャビネット内に配置されて放熱を促進することができる。しかしながら、能動型の放熱素子がキャビネット内に配置されている場合、追加のエネルギーが必要とされ、コストも増加する。結果として、安価で、信頼性があり、高効率の放熱ソリューションは現在業界が注目している問題である。
【考案の概要】
【考案が解決しようとする課題】
【０００５】
受動型の放熱機能を有するキャビネットおよび電子装置を提供する。
【課題を解決するための手段】
【０００６】
本考案のいくつかの実施形態は、ケースとフィン要素を含むキャビネットに関するものである。フィン要素は、ケース内に配置され、本体、および本体の上に配置された複数のフィンを含む。ケースは、フィン要素に対応する面に少なくとも１つの開口を有する。
【０００７】
本考案のいくつかの実施形態は、ケース内に配置されたシールアセンブリを更に含み、シールアセンブリ、ケース、およびフィン要素は空間を形成する。シールアセンブリはフレームと防水パッドを含み、防水パッドはフレームとフィン要素の間に配置される。フィン要素のフィンは、本体の一方に配置された複数の第１のフィン、および第１のフィン側とは反対側の本体のもう一方に配置された複数の第２のフィンを含む。第１のフィンの長さは第２のフィンの長さよりも長い。表面積では、第１のフィンの数は第２のフィンの数よりも少ない。第１のフィンは、ケースの少なくとも一つの開口に面している。
【０００８】
本考案のいくつかの実施形態では、キャビネットのケースはドア、側板、天板、および底板を含む。天板は底板の反対側にある。ドアと複数の側板は、天板と底板の間に配置される。フィン要素は側板の一つに面している。底板は、フィン要素のフィンの延伸方向に対応する第１の孔を含む。底板は第２の孔を更に含み、キャビネットはパイプおよび防水要素を更に含む。パイプは第２の孔を通過し、防水要素はパイプと第２の孔の間に配置され、パイプと第２の孔の間の間隙を密閉する。
【０００９】
本考案のもう一つの態様は、キャビネット、電力変換器、およびファンを含む電子装置に関するものである。電力変換器およびファンはキャビネット内に配置され、ファンは電力変換器の上に配置される。
【００１０】
本開示の態様は、添付の図面を参照することで、次の詳細な説明から良く理解される。工業分野における標準的な慣行に従って、種々の特徴は縮尺通りに描かれていないことに留意されたい。実際、種々の特徴の寸法は、議論を明確化するために、任意に増加または減少されている。
【図面の簡単な説明】
【００１１】
【図１】本考案の一実施形態のキャビネットの概略図である。
【図２Ａ】図１のいくつかの要素の分解図である。
【図２Ｂ】図１のいくつかの要素の分解図である。
【図３Ａ】本考案の一実施形態の底板の概略図である。
【図３Ｂ】本考案の一実施形態の底板およびフィン要素の概略図である。
【図３Ｃ】本考案の一実施形態の底板の概略図である。
【図４】本考案の実施形態の背板と側板の概略図である。
【図５Ａ】本考案の一実施形態のフィン要素の斜視図である。
【図５Ｂ】図５Ｂは、図５Ａのフィン要素の上面図である。
【図６】本考案の一実施形態のキャビネット内のいくつかの要素の上面図である。
【考案を実施するための形態】
【００１２】
次の開示では、異なる特徴を実施するために、多くの異なる実施の形態または実施例を提供する。本開示を簡潔に説明するために、複数の要素および複数の配列の特定の実施形態が以下に述べられる。これらはもちろん単に例示するためであり、それに限定するという意図はない。例えば、下記の開示の第２の特徴の上方、または第２の特徴上への第１の特徴の形成は、第１と第２の特徴が直接接触して形成される複数の実施形態を含むことができ、且つ第１と第２の特徴が直接接触しないように、付加的な特徴が第１と第２の特徴間に形成された複数の実施形態を含むこともできる。
【００１３】
また、以下の説明は、複数の例において同じ構成要素の符号または文字を繰り返し用いる可能性がある。繰り返し用いる目的は、簡易化した、明確な説明を提供するためのもので、複数の以下に討論する実施形態および／または配置の関係を限定するものではない。また、以下の説明書で述べた１つの特徴がもう１つの特徴に接続、結合、および／または形成するなどの記述は、実際には複数の異なる実施形態を含み、前記特徴が直接接触するのを含む、またはその他の追加の特徴が前記特徴の間に形成されるなど、前記の特徴が直接接触しない場合を含むことができる。また、空間的に相対的な用語、例えば、「下方（ｌｏｗｅｒ）」、「上方（ｕｐｐｅｒ）」、「水平（ｈｏｒｉｚｏｎｔａｌ）」、「垂直（ｖｅｒｔｉｃａｌ）」、「上に（ａｂｏｖｅ）」、「の上（ｏｖｅｒ）」、「下に（ｂｅｌｏｗ）」、「の下（ｂｅｎｅａｔｈ）」、「上（ｕｐ）」、「下（ｄｏｗｎ）」、「上部（ｔｏｐ）」、 「底部（ｂｏｔｔｏｍ）」などと、その派生語（例えば「水平に（ｈｏｒｉｚｏｎｔａｌｌｙ）」「下方に（ｄｏｗｎｗａｒｄｌｙ）」「上方に（ｕｐｗａｒｄｌｙ）」など）は、本開示の１つの特徴と別の特徴との関係を簡略化するために用いられる。空間的に相対的な用語は、特徴を含むデバイスの異なる方向をカバーすることを意図している。
【００１４】
図１に示すように、本考案の実施形態のキャビネット１０の概略図が示されている。キャビネット１０は、ケース１００、接続要素Ｃ１、および接続要素Ｃ２を含むことができる。ケース１００は、キャビネット１０が屋外に設置されるときに、キャビネット１０内に配置されている装置（図示せず）が日光、熱放射、雨、および空気などの環境要因によるダメージから保護されるようにするために用いられる。接続要素Ｃ１と接続要素Ｃ２は、ケース１００の両側に別々に配置され、キャビネット１０を外部環境と接続させて固定させる（例えば、キャビネット１０は、接続要素Ｃ１またはＣ２を介して電柱または他の場所に固定させることができる）。図１では、２つの接続要素Ｃ１および２つの接続要素Ｃ２が示されているが、本考案はこれに限定されるものではない。例えば、ユーザの要件を満たすために、設計要件に応じて、任意の数の接続要素Ｃ１またはＣ２をケース１００に配置することができる。また、キャビネット１０に対する接続要素Ｃ１およびＣ２の相対位置は、異なる要件に基づいて変更されてもよく、本考案に開示された実施形態に限定されるものではない。
【００１５】
図２Ａは、図１のキャビネット１０のいくつかの要素の分解図である。明確にするために、図２Ａでは、キャビネット１０のいくつかの要素（図２Ｂに示されている）が省略されている。図２Ａでは、キャビネット１０はケース１００を含み、ケース１００はフレーム１１２、天板１２０（外側スタンピング要素（ｏｕｔｅｒ ｓｔａｍｐｉｎｇ ｅｌｅｍｅｎｔ）１２２および内側スタンピング要素（ｉｎｎｅｒ ｓｔａｍｐｉｎｇ ｅｌｅｍｅｎｔ）１２４を含む）、ドア１３０、背板１４０、側板１５０、側板１５２、および底板１６０を含む。また、キャビネット１０は、ケース１００内に配置されたフィン要素２０２、２０４、および２０６を更に含む。
【００１６】
図２Ａでは、側板１５０および側板１５２はフレーム１１２の相対する両側に配置され、少なくとも１つの開口１５０ａおよび少なくとも１つの開口１５２ａをそれぞれ含んで空気を流動させる。ドア１３０および背板１４０は、フレーム１１２の相対する両側に配置される。ドア１３０は、ドア１３０と側板１５２の間に配置された関節要素１３２によって側板１５２と関節接合され、ドア１３０は、作動要素１３４を介してキャビネット１０の他の要素に対して開閉することができる。防水パッド１１６は、ドア１３０の上に配置され、ドア１３０が閉じられたときに、ドア１３０がキャビネット１０の他の部分と密閉されるようにし、キャビネット１０の外側の雨や埃がキャビネット１０に入るのを防ぐ。例えば、キャビネット１０は、防水パッド１１６をキャビネット１０に設けることによって、いくつかの防水および防塵規格（例えば、ＩＰ６５防水および防塵規格）を満たすことができる。その結果、キャビネット１０内に配置された装置がキャビネット１０の外部の環境変化に影響されるのを防止することができる。
【００１７】
図２Ａでは、背板１４０および側板１５０が一体成型で示されており、側板１５２および底板１６０が一体成型で示されているが、本考案はこれを限定するものではない。例えば、本考案の目的を達成することができる限り、背板１４０、側板１５０、側板１５２、および底板１６０は個々に成形されてもよく、または側板１５０、背板１４０、および側板１５２が一体成型されてもよい。
【００１８】
フィン要素２０２、２０４、および２０６は、突出プロセス（ｐｒｏｔｒｕｓｉｏｎ）（例えば、アルミニウム突出プロセス）によって形成され、フレーム１１２と側板１５０の間、フレーム１１２と側板１５２の間、およびフレーム１１２と背板１４０の間にそれぞれ配置される。フィン要素２０２、２０４、および２０６は、例えば接着、係止などの適切な接続手段によってフレーム１１２に固定することができる。フィン要素２０２、２０４、および２０６は、高い比表面積を有するため、キャビネット１０と外部の空気の熱交換率を高めることができる。例えば、フィン要素２０２、２０４、および２０６は、側板１５０の開口１５０ａ、側板１５２の開口１５２ａ、および背板１４０の開口１４０ａ（図４に示されている）にそれぞれ対応して、外部の空気と熱交換を行う。
【００１９】
図２Ｂに示すように、キャビネット１０のフレーム１１２（フレーム１１２ａおよびフレーム１１２ｂ）、および天板１２０（外側スタンピング要素１２２および内側スタンピング要素１２４）、固定要素１２６、係止要素１２８、および防水パッド１１４と１１８を含むフレーム１１２の上に配置された要素の分解図が示されている。
【００２０】
図２Ｂでは、フレーム１１２ａおよびフレーム１１２ｂは、固定要素１２６および他の適切な固定手段（例えば、ねじ、係合要素、接着剤など）によって固定される。固定要素１２６、フレーム１１２ａ、およびフレーム１１２ｂは別々に示されているが、本考案はこれを限定するものではない。例えば、フレーム１１２ａ、フレーム１１２ｂ、および固定要素１２６は、一体成型されてもよい。更に、フレーム１１２ａとフレーム１１２ｂの間に１つの固定要素１２６のみを設けることも可能であり、もう一つの固定要素１２６は、適切な固定手段によって内側スタンピング要素１２４の上に固定することができる。更に、固定要素１２６は、設計要件に応じて、図２Ａに示された側板１５０および側板１５２の上に固定され、側板１５０と側板１５２の間の相対位置を固定することができる。
【００２１】
また、フレーム１１２および天板１２０（外側スタンピング要素１２２および内側スタンピング要素１２４を含む）は、複数の係止要素１２８によって固定される。特に、フレーム１１２は接続孔１１２ｃを有し、係止要素１２８は、外側スタンピング要素１２２の接続孔１２２ａ、内側スタンピング要素１２４の接続孔１２４ａ、およびフレーム１１２の接続孔１１２ｃを順次通過し、これらの要素を固定する。係止要素１２８は、例えば、ねじ、ナット、および係合要素などの任意の適切な固定手段であることができる。
【００２２】
防水パッド１１４は、フレーム１１２と天板１２０の間に配置され、係止要素１２８の位置に対応する凹部１１４ａを含み、上述の要素が係止要素１２８によって固定されたときに干渉が生じるのを防ぐ。防水パッド１１８は、フレーム１１２と底板１６０の間に配置される（図２Ａ）。防水パッド１１４および１１８は、図２Ａの防水パッド１１６と共に用いられ、キャビネット１０の外部の雨や埃がキャビネット１０に入るのを防ぎ、キャビネット１０内に配置された装置を保護する。例えば、キャビネット１０に防水パッド１１４、１１６、および１１８を設けることによって、キャビネット１０は、ＩＰ６５の防水および防塵規格を満たすことができる。
【００２３】
図３Ａは、底板１６０の概略図である。底板１６０には、複数の第１の孔１６１および１６２（排水孔）と、複数の第２の孔１６３および１６４（接続孔）がある。図３Ｂは、底板１６０とフィン要素２０４および２０６と間の相対位置の関係を示しており、フィン要素２０４および２０６は、底板１６０に対して＋Ｚ方向に移動し、第１の孔１６１および１６２が見えるようにしている。図３Ｂでは、第１の孔１６１はフィン素子２０４に対応して形成され、第１の孔１６２はフィン素子２０６に対応して形成される。具体的に言えば、図３Ｂの破線で示されるように、第１の孔１６１および１６２は、フィン要素２０４および２０６に対応し、底板１６０に対して垂直な方向（Ｚ方向）に沿ってフィン要素２０４および２０６とそれぞれ整列している。雨が降ると、雨がケース１００の開口１５２ａ（図２Ａ）または１４０ａ（図４）を通ってケース１００に入る。このとき、雨はフィン要素２０４および２０６によってブロックされ、フィン要素２０４および２０６のフィンを通って底板１６０に向かって流れる。その結果、底板１６０の上にフィン要素２０４および２０６に対応する第１の孔１６１および１６２を設けることによって、水はフィン要素２０４および２０６からより速い速度で流下し、キャビネット１０の防水機能を更に強化することができる。
【００２４】
キャビネット１０内の装置（図示せず）とキャビネット１０の外部の装置を接続するためのパイプを第２の孔１６３および１６４に設けることができる。例えば、図３Ｃに示されるように、パイプ１６８が第２の孔１６３および１６４に設けられ、キャビネット１０内の装置とキャビネット１０の外部の装置を接続することができる。防水要素１６９は、第２の孔１６３および１６４とパイプ１６８の間に設けられ、パイプ１６８と第２の孔１６３および１６４の間に形成される可能性のある間隙を密閉し、キャビネット１０の外側の水または埃が入るのを防ぐことができる。防水要素１６９は、粘土、ケーブルグランド、パッドなどの適切な防水要素であることができ、防水要素１６９は、パイプ１６８の全周にわたって配置することができる。
【００２５】
図３Ａでは、第２の孔１６３の直径は、異なる直径を有するパイプが通過できるように、第２の孔１６４の直径より大きく描かれ、設計の自由度を増すことができる。しかしながら、本考案はこれを限定するものではない。例えば、設計要件に応じて、第２の孔１６３および１６４は同じ直径を有することができる。更に、第２の孔１６３または１６４にパイプが配置されていない場合、図３Ｃに示されるように、シール要素１６５が第２の孔１６３または１６４に配置され、キャビネット１０の外側の埃または水が第２の孔１６３または１６４を通ってキャビネット１０に入るのを防ぐことができる。また、ロック１６６がシール要素１６５の上に配置され、シール要素１６５と底板１６０を更に固定してもよい。また、スタンド１６７が底板１６０の上に配置され、キャビネット１０内に配置された装置をスタンドの上に固定してもよい。例えば、パワーモジュール（図示せず）は、固定、係合などの適切な固定手段によって孔１６７ａを通してスタンド１６７の上に固定されてもよい。
【００２６】
図２Ａおよび図４のうち、図４は、本考案の一実施形態の背板１４０および側板１５０の概略図である。上述のように、少なくとも１つの開口１４０ａが背板１４０に形成され、少なくとも１つの開口１５０ａが側板１５０に形成され、少なくとも１つの開口１５２ａが側板１５２に形成され（図２Ａ）、開口１４０ａ、１５０ａ、および１５２ａは、フィン要素２０２、２０６、および２０４の位置にそれぞれ対応する。例えば、図２Ａに示されるように、本考案の一実施形態では２つのフィン要素２０２と１つのフィン要素２０６が設けられているため、図４には、２つのグループの開口１５０ａと１つのグループの開口１４０ａが示される。更に、フィン要素２０４は、図２Ａのフィン要素２０２および２０６よりも大きいため、開口１５２ａによって占められる面積は、開口１４０ａまたは１５０ａによって占められる面積よりも大きい。しかしながら、本考案はこれを限定するものではない。設計要件に応じて、フィン要素の数に対して任意の数の開口を設けることができる。
【００２７】
図５Ａおよび５Ｂは、それぞれ本考案の一実施形態のフィン要素２０２の斜視図および上面図である。フィン要素２０２は、本体２０２ａおよび本体２０２ａの上に配置された複数のフィン（例えば、第１のフィン２０２ｂおよび第２のフィン２０２ｃ）を含む。本実施形態では、第１のフィン２０２ｂは本体２０２ａの一方に配置され、第２のフィン２０２ｃは、第１のフィン２０２ｂ側とは反対側の本体２０２ａのもう一方に配置される。第１のフィン２０２ｂは、側板１５０の開口１５０ａに面しており（図２Ａに示す）、キャビネット１０の外側の空気と熱対流を行う。第２のフィン２０２ｃは、キャビネット１０の内側に面しており、キャビネット１０内の空気と熱対流を行う。
【００２８】
キャビネット１０内の装置が動作しているとき、熱が発生する可能性があり、熱は熱対流により空気を第２のフィン２０２ｃと熱交換する、次いで第２のフィン２０２ｃに伝達されるその結果、熱は、熱伝導によって、第２のフィン２０２ｃから本体２０２ａに伝えられ、次いで本体２０２ａから第１のフィン２０２ｂに伝えることができる。最後に、熱は、第１のフィン２０２ｂと外部の空気との間の熱対流によって外部環境に放散することができる（伝熱方向は、図５Ｂの矢印Ｈによって示されている）。第１のフィン２０２ｂおよび第２のフィン２０２ｃをフィン要素２０２に設けることによって、フィン要素２０２の比表面積を増大させることができ、空気と熱対流を行う面積が広くなるため、熱対流効率を向上することができる。
【００２９】
２つの第１のフィン２０２ｂ間の間隙の寸法はＤ１であり、２つの第２のフィン２０２ｃ間の間隙の寸法はＤ２であり、Ｄ１＞Ｄ２であることに留意されたい。言い換えれば、表面積では、フィン要素２０２にある第１のフィン２０２ｂの数は、第２のフィン２０２ｃの数よりも少ない。また、第１のフィン２０２ｂの長さはＬ１、第２のフィン２０２ｃの長さはＬ２であり、Ｌ１＞Ｌ２である。更に、全ての第１のフィン２０２ｂが、第１のフィン２０２ｂの反対側に、対応する第２のフィン２０２ｃを有するわけではない。フィン要素２０２の放熱効率は、このように更に高めることができる。
【００３０】
図６は、本考案の一実施形態のキャビネット１０内のいくつかの要素の上面図である。図６は、主にフレーム１１２、ドア１３０、背板１４０、側板１５０、１５２、およびフィン要素２０２、２０４、２０６の相対位置を示している。キャビネット１０の放熱機構は、図６に示される。
【００３１】
実際、キャビネット１０内に配置された装置は通常、ファンを有して、装置によって発生した熱をそれらの装置から移動させる。例えば、電力変換器（図示せず）がキャビネット１０内に配置され、ファン（図示せず）を電力変換器の上に配置することができる。その結果、電力変換器のファンは、キャビネット１０内の熱対流を更に促進させることができ、熱は、フィン要素２０２、２０４、および２０６によってキャビネット１０から更に放散することができる。キャビネット１０、電力変換器、およびファンは、電子装置を形成する。
【００３２】
例えば、図６では、キャビネット１０内の空気は、キャビネット１０内の矢印Ｆで示される方向に流れ、キャビネット１０の熱放散率を増加させることができる（例えば、熱は、図６の矢印Ｈによって示される方向に放散させることができる）。更に、防水パッド１１４および１１６は、空気が流れる空間を密閉空間として密閉することができるため、キャビネット１０は閉ループの循環放熱のための機構となることができる。フィン要素２０２、２０４および２０６との熱交換の機能は、キャビネット１０内で空気を連続的に循環させることによって達成される。その結果、本考案のキャビネット１０は、従来の密閉されていないキャビネット内にファンが配置されても、キャビネット１０が密閉されているため、従来の密閉されていないキャビネットよりも、よりよい熱交換の機能を有する。
【００３３】
その結果、キャビネット１０内に追加の能動型の放熱素子（例えば、ファン、熱交換器、エアコン、熱電エアコンなど）を配置する必要がない。熱放散の機能は、キャビネット１０内に配置された装置のフィン要素およびファンによって達成することができるため、エネルギー消費量は、減少させることができ、追加の空間がキャビネット１０内に配置された他の装置に提供することができる。
【００３４】
要約すると、本考案の実施形態では、受動型の放熱機能を有するキャビネットが提供される。このキャビネットは防水および防塵だけでなく、追加のエネルギーを消費することなくキャビネットで発生した熱を外部に放散することもできるため、キャビネット内に配置されている装置を、外部の環境要因によるダメージから保護することができる。また、キャビネット内で発生した熱は、より早く放散され、キャビネット内に配置された装置の信頼性および効率を高めることができる。
【００３５】
本開示及びそれらの利点の一部の実施形態が詳細に説明されてきたが、添付の請求の範囲によって定義されるように、本開示の精神および範囲を逸脱せずに、本明細書において種々の変更、置換、および代替をすることができることを理解すべきである。例えば、本明細書で述べられる特徴、機能、プロセス、および材料の多くが本開示の範囲を逸脱することなく変更できることが当業者にとっては容易に理解されるだろう。また、本出願の範囲は、本明細書中に述べられたプロセス、機械、製造、物質の組成、手段、方法、またはステップの特定の実施形態に限定されることを意図するものではない。当業者が本開示の開示から容易に理解できるように、本明細書で述べられた対応する実施形態と、実質的に同様の機能を実行するか、または実質的に同様の結果を達成する、現存の、または後に開発される、開示、プロセス、機械、製造、物質の組成、手段、方法、またはステップが本開示に従って利用され得る。よって、添付の実用新案登録請求の範囲は、上述のプロセス、機械、製造、物質の組成、手段、方法、またはステップを含むように意図される。また、各請求の範囲は、個別の実施形態を構成し、各請求の範囲及び実施形態の組み合わせは、本考案の保護範囲である。
【符号の説明】
【００３６】
１０  キャビネット
１００  ケース
１１２、１１２ａ，１１２ｂ  フレーム
１１２ｃ  接続孔
１１４、１１６、１１８  防水パッド
１２０  天板
１２２  外側スタンピング要素
１２２ａ、１２４ａ  接続孔
１２４  内側スタンピング要素
１２６  固定要素
１２８  係止要素
１３０  ドア
１３２  関節要素
１３４  作動要素
１４０  背板
１４０ａ、１５０ａ、１５２ａ  開口
１５０、１５２  側板
１６０  底板
１６１、１６２  第１の孔
１６３、１６４  第２の孔
１６５  シール要素
１６６  ロック
１６７  スタンド
１６７ａ  孔
１６８  パイプ
１６９  防水要素
２０２、２０４、２０６  フィン要素
２０２ａ  本体
２０２ｂ  第１のフィン
２０２ｃ  第２のフィン
Ｃ１、Ｃ２  接続要素
Ｄ１、Ｄ２  間隙
Ｆ、Ｈ  矢印
Ｌ１、Ｌ２  長さ
Ｘ、Ｙ、Ｚ  方向
【図１】
0003223173.tif 000003
【図２Ａ】
0003223173.tif 000004
【図２Ｂ】
0003223173.tif 000005
【図３Ａ】
0003223173.tif 000006
【図３Ｂ】
0003223173.tif 000007
【図３Ｃ】
0003223173.tif 000008
【図４】
0003223173.tif 000009
【図５Ａ】
0003223173.tif 000010
【図５Ｂ】
0003223173.tif 000011
【図６】
0003223173.tif 000012